(57)【要約】【課題】組立作業の負担を軽減し、穀稈の停滞を防止し、扱歯支持杆を装着する前板及び後板の変形を防止する脱穀装置の扱胴を提供する。【解決手段】回転体（１２）と、回転体（１２）を支持する扱胴軸（２０）で形成し、回転体（１２）を、外周部に搬送螺旋（１５，１６）が設けられた略円錐形状の前回転体（１３）と、前回転体（１３）の後側に位置する後回転体（１４）で形成し、後回転体（１４）の外周部に、周方向に所定の間隔を隔てて扱歯支持杆（３４Ｂ）を装着し、扱歯支持杆（３４Ｂ）を、前後方向に延在する支持杆本体部（３６Ｂ）と、支持杆本体部（３６Ｂ）の外周部に植設された複数の扱歯（３５）で形成し、支持杆本体部（３６Ｂ）の断面形状をコの字形状に形成し、該コの字形状の開放部を回転方向の上手側に位置させることにより解決される。【選択図】図９
2017012003.tif 000002
【特許請求の範囲】
【請求項１】
脱穀装置（３）の扱室（１０）に架設される脱穀装置の扱胴であって、
該脱穀装置の扱胴を、回転体（１２）と、該回転体（１２）を支持する扱胴軸（２０）で形成し、
前記回転体（１２）を、外周部に搬送螺旋（１５，１６）が設けられた略円錐形状の前回転体（１３）と、該前回転体（１３）の後側に位置する後回転体（１４）で形成し、
該後回転体（１４）の外周部に、周方向に所定の間隔を隔てて扱歯支持杆（３４Ｂ）を装着し、
該扱歯支持杆（３４Ｂ）を、前後方向に延在する支持杆本体部（３６Ｂ）と、該支持杆本体部（３６Ｂ）の外周部に植設された複数の扱歯（３５）で形成し、
該支持杆本体部（３６Ｂ）の断面形状をコの字形状に形成し、該コの字形状の開放部を回転方向の上手側に位置させたことを特徴とする脱穀装置の扱胴。
【請求項２】
前記扱胴軸（２０）に、前記支持杆本体部（３６Ｂ）の前部を装着する前板（３０）と、前記支持杆本体部（３６Ｂ）の後部を装着する後板（３２）を設け、
該前板（３０）の径方向の中間部と、該後板（３２）の径方向の中間部を前後方向に延在する補強ドラム（４３）で連結した請求項１記載の脱穀装置の扱胴。
【請求項３】
前記支持杆本体部（３６Ｂ）の内周部に、前記扱胴軸（２０）に向かって延出する支持棒（４５）を設け、
前記補強ドラム（４３）の外周部に、前後方向に延在する仕切り板（４２）の基部を装着し、該仕切り板（４２）の先端部を、前記支持棒（４５）の下手側に当接させた請求項２記載の脱穀装置の扱胴。
【請求項４】
前記補強ドラム（４３）の外周部に、前後方向に延在する仕切り板（４２）の基部を装着し、該仕切り板（４２）の先端部を、前記支持杆本体部（３６Ｂ）の下手側に当接させた請求項２記載の脱穀装置の扱胴。
【請求項５】
背面視において、前記仕切り板（４２）の基部から先端部の部位を、回転方向に対して所定の後退角をもって延在させた請求項３又は４記載の脱穀装置の扱胴。
【請求項６】
前記搬送螺旋（１５，１６）の後部を、前記前回転体（１３）に近接して植設された扱歯（３５）に臨ませた請求項１〜５のいずれか１項に記載の脱穀装置の扱胴。
【発明の詳細な説明】
【技術分野】
【０００１】
本発明は、脱穀装置の扱胴に関するものである。
【背景技術】
【０００２】
従来、外周部に搬送螺旋を設けた略円錐形状の前回転体及び周部に前後方向に複数の扱歯を有する扱歯支持杆を設けた略円柱形状の後回転体を一体的に形成した脱穀装置の扱胴が知られている。
【先行技術文献】
【特許文献】
【０００３】
【特許文献１】特開平２０１１−１８２６５３号公報
【発明の概要】
【発明が解決しようとする課題】
【０００４】
しかし、特許文献１に記載された脱穀装置の扱胴は、扱歯が植設される扱歯支持杆を断面形状が略正方形の角パイプで形成しているので、扱歯支持杆の重量が重く組立作業等の負担が大きかった。また、扱歯支持杆の下部及び隣接する扱歯支持杆の下部を水平径状の板部材で連結しているために、特に、丈の長い穀稈が板部材の外周部に停滞する虞があった。さらに、扱歯支持杆を装着する前板及び後板の中心部を穀胴軸で支持しているために、穀稈の押力によって変形が生じる虞があった。
【０００５】
そこで、本発明は、組立作業の負担を軽減し、穀稈の停滞を防止し、扱歯支持杆を装着する前板及び後板の変形を防止する脱穀装置の扱胴を提供することを目的とする。
【課題を解決するための手段】
【０００６】
上記課題を解決した本発明は次記のとおりである。
請求項１記載の発明は、脱穀装置（３）の扱室（１０）に架設される脱穀装置の扱胴であって、
該脱穀装置の扱胴を、回転体（１２）と、該回転体（１２）を支持する扱胴軸（２０）で形成し、前記回転体（１２）を、外周部に搬送螺旋（１５，１６）が設けられた略円錐形状の前回転体（１３）と、該前回転体（１３）の後側に位置する後回転体（１４）で形成し、該後回転体（１４）の外周部に、周方向に所定の間隔を隔てて扱歯支持杆（３４Ｂ）を装着し、該扱歯支持杆（３４Ｂ）を、前後方向に延在する支持杆本体部（３６Ｂ）と、該支持杆本体部（３６Ｂ）の外周部に植設された複数の扱歯（３５）で形成し、該支持杆本体部（３６Ｂ）の断面形状をコの字形状に形成し、該コの字形状の開放部を回転方向の上手側に位置させたことを特徴とする脱穀装置の扱胴である。
【０００７】
請求項２記載の発明は、前記扱胴軸（２０）に、前記支持杆本体部（３６Ｂ）の前部を装着する前板（３０）と、前記支持杆本体部（３６Ｂ）の後部を装着する後板（３２）を設け、該前板（３０）の径方向の中間部と、該後板（３２）の径方向の中間部を前後方向に延在する補強ドラム（４３）で連結した請求項１記載の脱穀装置の扱胴である。
【０００８】
請求項３記載の発明は、前記支持杆本体部（３６Ｂ）の内周部に、前記扱胴軸（２０）に向かって延出する支持棒（４５）を設け、前記補強ドラム（４３）の外周部に、前後方向に延在する仕切り板（４２）の基部を装着し、該仕切り板（４２）の先端部を、前記支持棒（４５）の下手側に当接させた請求項２記載の脱穀装置の扱胴である。
【０００９】
請求項４記載の発明は、前記補強ドラム（４３）の外周部に、前後方向に延在する仕切り板（４２）の基部を装着し、該仕切り板（４２）の先端部を、前記支持杆本体部（３６Ｂ）の下手側に当接させた請求項２記載の脱穀装置の扱胴である。
【００１０】
請求項５記載の発明は、背面視において、前記仕切り板（４２）の基部から先端部の部位を、回転方向に対して所定の後退角をもって延在させた請求項３又は４記載の脱穀装置の扱胴である。
【００１１】
請求項６記載の発明は、前記搬送螺旋（１５，１６）の後部を、前記前回転体（１３）に近接して植設された扱歯（３５）に臨ませた請求項１〜５のいずれか１項に記載の脱穀装置の扱胴である。
【発明の効果】
【００１２】
請求項１記載の発明によれば、脱穀装置の扱胴を、回転体（１２）と、回転体（１２）を支持する扱胴軸（２０）で形成し、回転体（１２）を、外周部に搬送螺旋（１５，１６）が設けられた略円錐形状の前回転体（１３）と、前回転体（１３）の後側に位置する後回転体（１４）で形成し、後回転体（１４）の外周部に、周方向に所定の間隔を隔てて扱歯支持杆（３４Ｂ）を装着し、扱歯支持杆（３４Ｂ）を、前後方向に延在する支持杆本体部（３６Ｂ）と、支持杆本体部（３６Ｂ）の外周部に植設された複数の扱歯（３５）で形成し、支持杆本体部（３６Ｂ）の断面形状をコの字形状に形成し、該コの字形状の開放部を回転方向の上手側に位置させているので、扱歯支持杆（３４Ｂ）の重量を軽量化して組立作業の負担を軽減することができる。また、扱歯支持杆（３４Ｂ）の支持杆本体部（３６Ｂ）に穀稈が入り込むのを防止することができ高い脱穀処理性能を維持することができる。
【００１３】
請求項２記載の発明によれば、請求項１記載の発明による効果に加えて、扱胴軸（２０）に、支持杆本体部（３６Ｂ）の前部を装着する前板（３０）と、支持杆本体部（３６Ｂ）の後部を装着する後板（３２）を設け、前板（３０）の径方向の中間部と、後板（３２）の径方向の中間部を前後方向に延在する補強ドラム（４３）で連結しているので、穀稈の押力による前板（３０）と後板（３２）の変形を防止することができる。
【００１４】
請求項３記載の発明によれば、請求項２記載の発明による効果に加えて、支持杆本体部（３６Ｂ）の内周部に、扱胴軸（２０）に向かって延出する支持棒（４５）を設け、補強ドラム（４３）の外周部に、前後方向に延在する仕切り板（４２）の基部を装着し、仕切り板（４２）の先端部を、支持棒（４５）の下手側に当接させているので、隣接する扱歯支持杆（３４Ｂ）の間から内周部に侵入した穀稈を扱歯（３５）に向けて案内し、効率よく排出することができる。
【００１５】
請求項４記載の発明によれば、請求項２記載の発明による効果に加えて、補強ドラム（４３）の外周部に、前後方向に延在する仕切り板（４２）の基部を装着し、仕切り板（４２）の先端部を、支持杆本体部（３６Ｂ）の下手側に当接させているので、隣接する扱歯支持杆（３４Ｂ）の間から内周部に侵入した穀稈を扱歯（３５）に向けて案内し、効率よく排出することができる。また、支持杆本体部（３６Ｂ）の内周部に、扱胴軸（２０）に向かって延出する支持棒（４５）を設ける必要もなくなり、部品点数を削減し、製作期間を短縮させることができる。
【００１６】
請求項５記載の発明によれば、請求項３又は４記載の発明による効果に加えて、背面視において、仕切り板（４２）の基部から先端部の部位を、回転方向に対して所定の後退角をもって延在させているので、隣接する扱歯支持杆（３４Ｂ）の間から内周部に侵入した穀稈を扱歯（３５）に向けて案内し、より効率よく排出することができる。
【００１７】
請求項６記載の発明によれば、請求項１〜５のいずれか１項に記載の発明による効果に加えて、搬送螺旋（１５，１６）の後部を、前回転体（１３）に近接して植設された扱歯（３５）に臨ませているので、前回転体（１３）によって掻き込まれた穀稈を後回転体（１４）に確実に引き継ぐことができる。
【図面の簡単な説明】
【００１８】
【図１】コンバインの正面図である。
【図２】コンバインの左側面図である。
【図３】コンバインの背面図である。
【図４】脱穀装置の前後方向の縦断面左側図である。
【図５】第１実施形態の扱胴の左側面図である。
【図６】同扱胴の正面図である。
【図７】同扱胴の背面図である。
【図８】同扱胴の図５のＡ−Ａ断面図である。
【図９】第２実施形態の扱胴の説明図であり、図５のＡ−Ａ断面図に対応する断面図であり、前回転体部を省略している。
【図１０】前側中ステート及び後側中ステーと中板の固定構造の説明図である。
【図１１】前仕切り板を変更した構造の説明図である。
【図１２】前仕切り板の他の構造の説明図である。
【図１３】前仕切り板のさらに他の構造の説明図である。
【図１４】他の前回転体を備える扱胴の前後方向の縦断面左側図である。
【発明を実施するための形態】
【００１９】
以下、本発明の汎用コンバインについて添付図面を参照しつつ説明する。なお、理解を容易にするために、操縦部に搭乗した操縦者から見て、前方を前側、後方を後側、右手側を右側、及び左手側を左側とし便宜的に方向を示して説明しているが、これらにより構成が限定されるものではない。また、本明細書では、例えば１２時から３時方向に扱胴が回転している場合において１２時側を上手側、３時側を下手側と言う。
【００２０】
図１〜３に示すように、汎用コンバインは、機体フレーム１の下側には土壌面を走行するための左右一対のクローラからなる走行装置２が設けられ、機体フレーム１の上側には脱穀・選別を行なう脱穀装置３が設けられ、脱穀装置３の前側には圃場の穀稈を収穫する刈取前処理装置４が設けられている。脱穀装置３で脱穀・選別された穀粒は、脱穀装置３の右側に設けられたグレンタンク５に貯留され、貯留された穀粒は、グレンタンク５の後側に設けられた排出筒７によって外部へ排出される。また、グレンタンク５の前側には操縦者が搭乗する操縦部６が設けられている。
【００２１】
＜刈取前処理装置＞
刈取前処理装置４は、掻込み装置４Ａ、刈刃装置４Ｂ、オーガ装置４Ｃ、及びフィーダハウス４Ｄを備えている。なお、オーガ装置４Ｃの未刈取側で絡み合った穀稈を切断するために、未刈取側であるオーガ装置４Ｃの左壁に上下方向に延在する刈刃装置（図示省略）を装着することもできる。
【００２２】
掻込み装置４Ａは、オーガ装置４Ｃに倒伏した穀稈、大豆やそば等の丈の低い穀稈、及び油菜や菜の花等の丈の高い穀稈を掻込む装置である。掻込み装置４Ａの左右方向の幅は、オーガ装置４Ｃの左右方向の幅と略同一に形成されており、オーガ装置４Ｃの左右壁に装着されているアームによって昇降可能に支持されている。
【００２３】
刈刃装置４Ｂは、掻込み装置４Ａによって掻込まれる穀稈の株元を切断する装置である。刈刃装置４Ｂは、オーガ装置４Ｃの下壁の前端部に設けられており、側面視において前側から後側に緩やかに後上がり傾斜した姿勢で装着されている。
【００２４】
オーガ装置４Ｃは、オーガ装置４Ｃの後壁の未刈取側である左部に開口された送込口の前方に掻込まれた穀稈を寄せ集めてフィーダハウス４Ｄに引き継ぐ装置である。オーガ装置４Ｃは、フィーダハウス４Ｄの前方に設けられ、機体の左右方向の幅と略同一に形成されており、オーガ装置４Ｃの左右側壁の前端部には、それぞれ圃場の穀稈を分草する分草体４Ｅが装着されている。
【００２５】
フィーダハウス４Ｄは、脱穀装置３に引継がれた稲、麦、大豆、及びそば等の穀稈を揚上搬送する装置である。フィーダハウス４Ｄによって脱穀装置３に搬送された穀稈は、脱穀装置３によって脱穀・選別処理される。
【００２６】
＜脱穀装置＞
図４に示すように、脱穀装置３は、脱穀装置３の上部には、搬送されてきた穀稈の脱穀処理を行う扱室１０を備え、扱室１０の下側には、脱穀処理された穀粒を選別処理する選別室５０を備えている。また、選別室５０の後側には、扱室１０内で脱穀処理された後の排稈及び選別室５０内で分離されたワラ屑等を裁断するロータリカッタを備えた切断処理室６０が設けられている。また、図３に示すように、切断処理室６０の後側には、切断処理室６０で裁断された裁断物を外部の圃場に排出する排出室６５が設けられている。
【００２７】
（扱室）
扱室１０には、搬送されてきた穀稈の脱穀処理を行う前後方向に延在する扱胴１１が備えられている。図５に示すように、扱胴１１は、回転体１２及び回転体１２を支持する扱胴軸２０から形成され、回転体１２は、回転体１２の前部に位置する前回転体１３及び前回転体１３の後側に位置する後回転体１４から形成されている。
【００２８】
前回転体１３は、円形状の前板１７、円形状の後板１８、及び前板１７と後板１８の間に架設された円錐台形状の筒体１９から形成されている。筒体１９は、前板１７の後面に固定される前部が、後板１８の前面に固定される後部よりも小さく形成されている。これにより、フィーダハウス４Ｄから脱穀装置３に搬送されてくる穀稈を効率よく引き継き、前回転体１３の前部での穀稈の停滞を防止することができる。
【００２９】
図６，７に示すように、筒体１９の外周部には、略９時に位置する外周部の前部から略３時に位置する外周部の後部に時計方向に向かって延在する第１搬送螺旋（請求項における「搬送螺旋」）１５及び略３時に位置する外周部の前部から略９時に位置する外周部の後部に時計方向に向かって延在する第２搬送螺旋（請求項における「搬送螺旋」）１６が立設されている。これにより、前回転体１３に引き継がれた穀稈を効率よく複数の扱歯３５が設けられた後回転体１４に搬送することができ、前回転体１３の後部での穀稈の停滞を防止することができる。
【００３０】
また、図１４に示すように、第１搬送螺旋１５の後部及び第２搬送螺旋１６の後部を、後述する後回転体１４の扱歯支持杆３４に装着された最も前回転体１３側に位置する扱歯３５まで延存するのが好ましい。これにより、前回転体１３に搬送されてきた穀稈を最も前回転体１３側に位置する扱歯３５によって前回転体１３から後回転体１４に確実に引き継ぐことができ、前回転体１３の後部での穀稈の停滞を防止することができる。なお、扱歯支持杆３４は、後述する扱歯支持杆３４Ａ及び扱歯支持杆３４Ｂの総称である。
【００３１】
第１搬送螺旋１５に加わる穀稈の押力によって第１搬送螺旋１５の変形を防止するために、第１搬送螺旋１５の前面の下部には、周方向に所定の間隔を隔ててリブを設けるのが好適である。同様に、第２搬送螺旋１６の変形を防止するために、第２搬送螺旋１６の前面の下部にも、周方向に所定の間隔を隔ててリブを設けるのが好適である。また、前回転体１３は、必須の回転体ではなく、回転体１２の部品点数を削減し、製作期間を短縮するために、回転体１２を後回転体１４だけで形成することもできる。
【００３２】
前回転体１３の前板１７は、回転体１２を支持する扱胴軸２０の前端部に形成された円形状の第１フランジ２１にボルト等の締結手段によって固定され、前回転体１３の後板１８は、後回転体１６の円形状の前板３０に締結手段によって固定されている。また、後回転体１６の前板３０は、扱胴軸２０の前部に形成された円形状の第２フランジ２２に締結手段によって固定されている。
【００３３】
後回転体１４は、前回転体１３の後板１８に当接する円形状の前板３０、円形状の中板３１、及び円形状の後板３２と、前板３０、中板３１、及び後板３２に架設された複数の扱歯支持杆３４から形成されている。
【００３４】
後回転体１４の前板３０は、扱胴軸２０の前部に形成された第２フランジ２２に締結手段によって固定され、後回転体１４の中板３１は、扱胴軸２０の中間部に形成された第３フランジ２３に締結手段によって固定され、後回転体１４の後板３２は、扱胴軸２０の後端部に形成された第４フランジ２４に締結手段によって固定されている。
【００３５】
扱胴軸２０の第３フランジ２３は、扱胴軸２０の第２フランジ２２及び第４フランジ２４の前後方向の中心部に形成されている。これにより、後述する前補強ドラム４０及び後補強ドラム４１の共通化、並び前仕切り板４２Ａ及び後仕切り板４２Ｂの共通化を図ることができ、保守部品の管理負担を軽減することができる。
【００３６】
図８に示すように、後回転体１４の前板３０の外周部には、周方向に６０度隔てて扱歯支持杆３４の前端部を外周部から内嵌する切欠き部が形成され、同様に、後回転体１４の中板３１の外周部には、周方向に６０度隔てて扱歯支持杆３４の中間部を内嵌する切欠き部が形成され、後回転体１４の後板３２の外周部には、周方向に６０度隔てて扱歯支持杆３４の中間部を内嵌する切欠き部が形成されている。また、後回転体１４の前後方向の長さが短い場合には、後回転体１４の部品点数を削減し、製作期間を短縮するために、中板３１は設けずに後回転体１４を形成することもできる。
【００３７】
次に、第１実施形態の扱胴１１について説明する。図８に示すように、第１実施形態の扱胴１１を形成する扱歯支持杆３４Ａの扱歯３５を装着する支持杆本体部３６Ａは、左右方向の縦断面において中空部を有する円柱形状に形成され、前後方向において後回転体１４の前板３０から後板３２に延在する丸パイプ材である。また、後回転体１４の前板３０の切欠き部、中板３１の切欠き部、及び後板３２の切欠き部は、扱歯支持杆３４Ａの支持杆本体部３６Ａの形状に対応して外周側に開口部を有する略半円弧状に形成されている。これにより、前板３０の切欠き部、中板３１の切欠き部、及び後板３２の切欠き部に、扱歯支持杆３４Ａの支持杆本体部３６Ａを効率よく外周部から内嵌することができる。なお、この場合、前板３０の切欠き部、中板３１の切欠き部、及び後板３２の切欠き部と扱歯支持杆３４Ａの支持杆本体部３６Ａの間に形成される隙間に前回転体１３から搬送されてきた穀稈が絡むのを防止するために、背面視において、扱歯支持杆３４Ａの支持杆本体部３６Ａの外周部位を前板３０、中板３１、及び後板３２の外周部よりも外周部に突出させて装着するのが好ましい。
【００３８】
図５，８，１０に示すように、扱歯支持杆３４Ａの支持杆本体部３６Ａの内周部には、扱胴軸２０に固定された前板３０の後面に当接する位置に内周部に向けて延出する板状の前ステー３７Ａが固定され、同様に、扱胴軸２０に固定された中板３１の前面に当接する位置に前側中ステー３８Ａ及び中板３１の後面に当接する位置に後側中ステー３８Ｂが固定され、扱胴軸２０に固定された後板３２の前面に当接する位置に後ステー３９Ａが固定されている。前ステー３７Ａは、前板３０の後面に前ステー３７Ａを当接させた後に、前ステー３７Ａの後側から前板３０の前面に固定されたウエルドナットにボルトを挿着して固定され、同様に、前側中ステー３８Ａ及び後側中ステー３８Ｂは、中板３１の前後方向から中板３１を挟み込んだ後に、ボルト、ナットによって固定され、後ステー３９Ａは、後板３２の前面に後ステー３９Ａを当接させた後に、後ステー３９Ａの前側から後板３２の後面に固定されたウエルドナットにボルトを挿着して固定される。
【００３９】
扱歯支持杆３４Ａの支持杆本体部３６Ａの内周部には、扱歯３５を装着する部位を避けて後述する前仕切り板４２Ａ及び後仕切り版４２Ｂの回転方向の下手側に位置する後面に非固定状態で当接する複数の円柱形状の支持棒４５が固定されている。これにより、扱歯支持杆３４Ａと隣接する扱歯支持杆３４Ａの間から内周部に侵入してきた穀稈の押力による前仕切り板４２Ａ及び後仕切り版４２Ｂの変形を防止し、扱歯支持杆３４Ａと隣接する扱歯支持杆３４Ａの間に侵入してきた穀稈を扱歯支持杆３４Ａに装着された扱歯３５に向けて排出することができる。なお、支持棒４５は、支持杆本体部３６Ａに固定された基部よりも内周部に延出する先端部を回転方向の下手側に位置させる姿勢、すなわち、回転方向に対して所定の後退角を持たせて支持杆本体部３６Ａに固定するのが好ましい。
【００４０】
後回転体１４の前板３０及び中板３１の径方向の中間部は、左右方向の縦断面が六角形状の前補強ドラム４０で連結されている。前補強ドラム４０は、左右方向の縦断面が四角形状に形成された一対の折り曲げ板の開口部を連結して六角形状に形成されている。また、前補強ドラム４０の前端部の外周部には、前補強ドラム４０の外周部に延出する六角形状に形成された前連結部４０Ａが固定され、同様に、前補強ドラム４０の後端部の外周部には、前補強ドラム４０の外周部に延出する六角形状に形成された後連結部４０Ｂが固定されている。
【００４１】
後回転体１４の中板３１及び後板３２の径方向の中間部は、左右方向の縦断面が六角形状の後補強ドラム４１で連結されている。後補強ドラム４１は、左右方向の縦断面が四角形状に形成された一対の折り曲げ板の開口部を連結して六角形状に形成されている。また、後補強ドラム４１の前端部の外周部には、後補強ドラム４１の外周部に延出する六角形状に形成された前連結部４１Ａが固定され、同様に、後補強ドラム４１の後端部の外周部には、後補強ドラム４１の外周部に延出する六角形状に形成された後連結部４１Ｂが固定されている。なお、補強ドラム４３は、前補強ドラム４０及び後補強ドラム４１の総称である。
【００４２】
前補強ドラム４０の前連結部４０Ａは、扱胴軸２０に固定された前板３０の後面に前連結部４０Ａを当接させた後に、前連結部４０Ａの後側から前板３０の前面に固定されたウエルドナットにボルトを挿着して前板３０に固定され、同様に、前補強ドラム４０の後連結部４０Ｂ及び後補強ドラム４１の前連結部４１Ａは、扱胴軸２０に固定された中板３１の前後方向から中板３１を挟み込んだ後に、ボルト、ナットによって固定され、後補強ドラム４１の後連結部４１Ｂは、扱胴軸２０に固定された後板３２の前面に後連結部４１Ｂを当接させた後に、後連結部４１Ｂの前側から後板３２の後面に固定されたウエルドナットにボルトを挿着して固定されている。
【００４３】
扱胴軸２０に固定された前板３０の径方向の中間部及び中板３１の径方向の中間部を前補強ドラム４０で連結し、同様に、扱胴軸２０に固定された中板３１の径方向の中間部と後板３２の径方向の中間部を後補強ドラム４１で連結することにより、扱歯支持杆３４Ａと隣接する扱歯支持杆３４Ａの間から内周部に侵入してきた穀稈の押力による前板３０、中板３１及び後板３２の変形を防止し、また、扱胴軸２０にそれらの穀稈が絡み付くのを防止することができる。
【００４４】
背面視において、前補強ドラム４０の六角形の頂点は、隣接する扱歯支持杆３４の周方向の中間に位置するように形成され、前補強ドラム４０の六角形の辺は、扱歯支持杆３４の内周部に位置するように形成されている。同様に、後補強ドラム４１の六角形の頂点は、隣接する扱歯支持杆３４の周方向の中間に位置するように形成され、前補強ドラム４０の六角形の辺は、扱歯支持杆３４の内周部に位置するように形成されている。これにより、扱歯支持杆３４Ａと隣接する扱歯支持杆３４Ａの間から内周部に侵入してきた穀稈を扱胴軸カバー４０の六角形の連続する辺及ぶ頂点によって扱歯支持杆３４Ａに装着された扱歯３５に向けて排出する効果を高めることができる。
【００４５】
背面視において、前仕切り板４２Ａの内周部である基部は、それぞれ前補強ドラム４０の辺の周方向の中間部に締結手段によって着脱自在に固定され、前仕切り板４２Ａの外周部である先端部は、基部から径方向に延出して扱歯支持杆３４の支持棒４５の回転方向の下手側である前面に臨んでいる。同様に、後仕切り板４２Ｂの内周部である基部は、それぞれ後補強ドラム４１の辺の周方向の中間部に締結手段によって着脱自在に固定され、後仕切り板４２Ｂの外周部である先端部は、基部から径方向に延出して扱歯支持杆３４の支持棒４５の回転方向の下手側である前面に臨んでいる。なお、仕切り板４２は、前仕切り板４２Ａ及び後仕切り板４２Ｂの総称である。
【００４６】
前仕切り板４２Ａの前後方向の長さは、扱胴軸２０に固定された前板３０の後面及び中板３１の前面の間の長さに形成され、同様に、後仕切り板４２Ｂの前後方向の長さは、扱胴軸２０に固定された中板３１の後面及び後板３２の前面の間の長さに形成されている。また、前仕切り板４２Ａの先端部における扱歯３５が装着された扱歯支持杆３４Ａの部位に対向する部位には、側面視において略長方形状の切欠き部４２ａが形成され、同様に、後仕切り板４２Ｂの先端部における扱歯３５が装着された扱歯支持杆３４Ａの部位に対向する部位には、側面視において略長方形状の切欠き部４２ｂが形成されている。これにより、前仕切り板４２Ａの先端部及び扱歯支持杆３４Ａに装着された扱歯３５の内周部である基部の干渉と前仕切り板４２Ａの先端部及び扱歯支持杆３４Ａに装着された扱歯３５の内周部である基部の干渉が防止され、扱歯支持杆３４Ａに扱歯３５を容易に装着することができる。
【００４７】
扱歯３５は、扱歯支持杆３４Ａに回転方向に対して所定の後退角をもって固定され、隣接する扱歯支持杆３４Ａに装着された扱歯３５は、前後方向に隣接する間隔を相違させて固定している。これにより、前回転体１３から搬送されてきた穀稈が扱歯３５に絡み付くのを防止でき、隣接する扱歯支持杆３４Ａに装着された扱歯３５が穀稈の異なった部位に当接するので脱穀処理能力を高めることができる。なお、扱歯３５は、丸棒形状の他にも板形状とすることができる。
【００４８】
次に、第２実施形態の扱胴１１について説明する。なお、第１実施形態の扱歯支持杆３４Ａを備えた扱胴１１と同一部材には、同一符号を付して説明を省略する。
【００４９】
図５，９，１０に示すように、第２実施形態の扱胴１１を形成する扱歯支持杆３４Ｂの扱歯３５を装着する支持杆本体部３６Ｂは、左右方向の縦断面において反コ字形状に形成され、前後方向において後回転体１４の前板３０から後板３２に延在するチャンネル材である。なお、左右方向の縦断面において反コ字形状の開口部は、回転方向の上手側に位置させている。また、後回転体１４の前板３０の切欠き部、中板３１の切欠き部、及び後板３２の切欠き部は、扱歯支持杆３４Ｂの支持杆本体部３６Ｂの形状に対応して外周側に開口部を有する略正方形状に形成されている。これにより、前回転体１３から搬送された穀稈が扱歯支持杆３４Ｂの支持杆本体部３６Ｂに詰まるのを防止することができ、扱歯支持杆３４Ｂの支持杆本体部３６Ｂの重量を軽減して、前板３０の切欠き部、中板３１の切欠き部、及び後板３２の切欠き部に、扱歯支持杆３４Ｂを外周部から容易に内嵌することができ、位置調整を行うことなく後回転体１４の前板３０、中板３１、及び後板３２に、後述する扱歯支持杆３４Ｂの前ステー３７Ｂ、前側中ステー３８ａ、後側中ステー３８ｂ、及び後ステー３９Ｂを効率よく締結手段によって固定することができる。
【００５０】
この場合、前板３０の切欠き部、中板３１の切欠き部、及び後板３２の切欠き部である略正方形の上下方向に延長する中心線を回転方向に対して所定の後退角を有して形成するのが好ましい。これにより、前板３０の切欠き部、中板３１の切欠き部、及び後板３２の切欠き部に支持杆本体部３６Ｂを内嵌することにより、支持杆本体部３６Ｂに対して垂直に装着された扱歯３５に回転方向に対して所定の後退角を持たせることができる。また、前板３０の切欠き部、中板３１の切欠き部、及び後板３２の切欠き部と扱歯支持杆３４Ｂの支持杆本体部３６Ｂの間に形成される隙間に前回転体１３から搬送されてきた穀稈の絡み合いを防止するために、背面視において、扱歯支持杆３４Ｂの支持杆本体部３６Ｂの外周部位を前板３０、中板３１、及び後板３２の外周部よりも外周部に突出させて装着するのが好ましい。
【００５１】
扱歯支持杆３４Ｂの支持杆本体部３６Ｂには、扱胴軸２０に固定された前板３０の後面に当接する位置に支持杆本体部３６Ｂを挿通する反コ字形状の開口部が形成された板状の前ステー中板３７Ｂが固定され、同様に、扱胴軸２０に固定された中板３１の前面に当接する位置に反コ字形状の開口部が形成された板状の前側中ステー３８ａ及び中板３１の後面に当接する位置に反コ字形状の開口部が形成された板状の後側中ステー３８ｂが固定され、扱胴軸２０に固定された後板３２の前面に当接する位置に反コ字形状の開口部が形成された板状の後ステー３９Ｂが固定されている。
【００５２】
前ステー３７Ｂの外周部は、前板３０の外周部よりも外周部に延出し、その外周部の頂辺は、回転方向の上手側に向かい半径方向が短くなるように傾斜して形成され、同様に、前側中ステー３８ａ及び後側中ステー３８ｂの外周部は、中板３１の外周部よりも外周部に延出し、その外周部の頂辺は、回転方向の上手側に向かい半径方向が短くなるように傾斜して形成され、後ステー３９Ｂの外周部は、後板３２の外周部よりも外周部に延出し、その外周部の頂辺は、回転方向の上手側に向かい半径方向が短くなるように傾斜して形成されている。なお、前ステー３７Ｂ、前側中ステー３８ａ、後側中ステー３８ｂ、及び後ステー３９Ｂの外周部の頂辺は、前ステー３７Ｂ、前側中ステー３８ａ、後側中ステー３８ｂ、及び後ステー３９Ｂに形成された反コの字状の開口部と略平行に形成されている。これにより、扱歯支持杆３４Ｂに装着された扱歯３５だけでなく、前ステー３７Ｂ、前側中ステー３８ａ、後側中ステー３８ｂ、及び後ステー３９Ｂの外周部も前回転体１３から搬送された穀稈に当接して脱穀処理能力を一段と高めることができる。
【００５３】
扱歯支持杆３４Ｂの支持杆本体部３６Ｂを左右方向の縦断面において中空部を有する角中形状に形成し、前後方向において後回転体１４の前板３０から後板３２に延在する角パイプ材にすることができる。この場合、支持杆本体部３６Ｂの重量は重くなるが、剛性が高まり、穀稈の押力による変形を防止することができる。
【００５４】
次に、扱歯支持杆３４Ａ及び隣接する扱歯支持杆３４Ａから内周部に侵入した穀稈を扱歯支持杆３４Ａの扱歯３５に向けて排出する他の前仕切り板４２Ａの構造について説明する。なお、第１実施形態の扱歯支持杆３４Ａを備えた扱胴１１と同一部材には、同一符号を付して説明を省略する。また、以下の説明においては、第１実施形態の扱胴１１に基づいて他の前仕切り板４２Ａの構造を説明しているが、第２実施形態の扱胴１１についても同様な構造を採用することができ、また、後仕切り板４２Ｂの構造についても同様な構造を採用することができる。
【００５５】
図１１に示すように、前仕切り板４２Ａの枚数を６枚から３枚に変更している。これにより、前仕切り板４２Ａの部品点数の削減、重量の軽減、及び扱歯支持杆３４Ａと隣接する２枚の前仕切り板４２Ａで区画される空間を大きくすることができ、扱歯支持杆３４Ａの下側に形成された大きな空間に前回転体１３から搬送された油菜や菜の花等の丈の高い穀稈を退避させ、扱歯支持杆３４Ａの扱歯３５に丈の高い穀稈の絡みを防止することができる。なお、前仕切り板４２Ａの枚数は、周方向に等間隔に配置できればよく２枚に変更することもできる。
【００５６】
背面視において、前仕切り板４２Ａの内周部である基部は、それぞれ前補強ドラム４０の六角形状に形成された一つ辺を隔てた辺の周方向の中間部に締結手段によって着脱自在に固定され、前仕切り板４２Ａの外周部である先端部は、基部から径方向に延出して扱歯支持杆３４の支持棒４５の回転方向の下手側である前面に臨んでいる。
【００５７】
図１２に示すように、前仕切り板４２Ａの外周部である先端部を扱歯支持杆３４の支持棒４５の回転方向の前面から扱歯支持杆３４の支持杆本体３６Ａの枚数を回転方向の前面に臨むように変更している。これにより、扱歯支持杆３４の支持杆本体３６Ａの内周部に支持棒４５を設ける必要が無くなり部品点数の削減、重量の軽減、及び前仕切り板４２Ａの先端部を支持杆本体３６Ａまで延在させているので、扱歯支持杆３４Ａと隣接する扱歯支持杆３４Ａの間から隣接する２枚の前仕切り板４２Ａで区画される空間に侵入した穀稈を扱歯支持杆３４の扱歯３５に向けて効率よく排出することができる。
【００５８】
背面視において、前仕切り板４２Ａの内周部である基部は、それぞれ前補強ドラム４０の六角形状に形成された辺の周方向の回転方向の前部に締結手段によって着脱自在に固定され、前仕切り板４２Ａの外周部である先端部は、基部から径方向に延出して扱歯支持杆３４の支持杆本体３６Ａの回転方向の下手側である前面に臨んでいる。
【００５９】
図１３に示すように、前仕切り板４２Ａを回転方向に対して後退角を有しない垂直姿勢から回転方向に対して所定の後退角を有する後退姿勢に変更し、且つ、前仕切り板４２Ａの外周部である先端部を扱歯支持杆３４の支持棒４５の回転方向の前面から扱歯支持杆３４の支持杆本体３６Ａの枚数を回転方向の前面に臨むように変更している。これにより、扱歯支持杆３４の支持杆本体３６Ａの内周部に支持棒４５を設ける必要が無くなり部品点数の削減、重量の軽減、及び前仕切り板４２Ａに回転方向に所定の後退角を持たせて前仕切り板４２Ａの先端部を支持杆本体３６Ａまで延在させているので、扱歯支持杆３４Ａと隣接する扱歯支持杆３４Ａの間から隣接する２枚の前仕切り板４２Ａで区画される空間に侵入した穀稈を扱歯支持杆３４の扱歯３５に向けてより効率よく排出することができる。
【００６０】
背面視において、前仕切り板４２Ａの内周部である基部は、それぞれ前補強ドラム４０の六角形状に形成された頂点に締結手段によって着脱自在に固定され、前仕切り板４２Ａの外周部である先端部は、基部から所定の後退角を持って延出して扱歯支持杆３４の支持杆本体３６Ａの回転方向の下手側である前面に臨んでいる。また、前仕切り板４２Ａの後退角は、扱歯３５の後退角と略同一後退角に設定するのが好ましい。これにより、前仕切り板４２Ａの先端部と扱歯３５の基部の間での穀稈の停滞を防止することができる。
【００６１】
（選別室）
図４に示すように、扱室１０の下側には、扱室１０から漏下する脱穀処理された穀粒及び穀粒以外の藁屑等に選別する選別室５０が備えられている。選別室５０の上部には、揺動選別装置５１が設けられ、選別室５０の下部には、揺動選別装置５１に空気を送風する唐箕５５、揺動選別装置５１から漏下する穀粒を回収する１番受樋５８、及び揺動選別装置５１から漏下する枝梗等が付着した穀粒を回収する２番受樋５９が前側から順に設けられている。なお、１番受樋５８で回収された穀粒はグレンタンク５に搬送され、２番受樋５９で回収された穀粒等は扱胴１１の前側に搬送された後、再び扱胴１１によって脱穀処理される。
【００６２】
揺動選別装置５１は、唐箕５５の上側に位置する上面に凹凸が形成された移送棚５２、移送棚５２の後側に設けられた前後方向に所定の間隔を隔てて並設された篩から形成されたシーブ５３、及びシーブ５３の後端部に設けられた左右方向に所定の間隔を隔てて並設された篩から形成されたストローラック５４を備えている。また、唐箕５５の送風口には、移送棚５２の上面を移動する穀粒量を検出するセンサ（図示省略）の測定値に連動して回動する風割５７が設けられている。
【産業上の利用可能性】
【００６３】
本発明は、コンバインの脱穀装置の扱胴に利用できるものである。
【符号の説明】
【００６４】
３          脱穀装置
１０        扱室
１２        回転体
１３        前回転体
１４        後回転体
１５        第１搬送螺旋（搬送螺旋）
１６        第２搬送螺旋（搬送螺旋）
２０        扱胴軸
３０        前板
３２        後板
３４Ｂ      扱歯支持杆
３５        扱歯
３６Ｂ      支持杆本体部
４２        仕切り板
４３        補強ドラム
４５        支持棒
【図１】
2017012003.tif 000003
【図２】
2017012003.tif 000004
【図３】
2017012003.tif 000005
【図４】
2017012003.tif 000006
【図５】
2017012003.tif 000007
【図６】
2017012003.tif 000008
【図７】
2017012003.tif 000009
【図８】
2017012003.tif 000010
【図９】
2017012003.tif 000011
【図１０】
2017012003.tif 000012
【図１１】
2017012003.tif 000013
【図１２】
2017012003.tif 000014
【図１３】
2017012003.tif 000015
【図１４】
2017012003.tif 000016